(57)【要約】      （修正有）【課題】長期間使用してもループシートが表シート及び裏シートから外れるのを防止できる頑丈な名札を提供する。【解決手段】ネームプレート７を収納する収納袋８を構成する表シート３と裏シート４と備え、収納袋８に安全ピン取付用のループシート５が上方突出するように連結された名札であって、表シート３と裏シート４とがループシート５を介して連結されるように、表シート３と裏シート４とループシート５とが一枚の合成樹脂製のシート材により形成され、表シート３と裏シート４との外周部同士が収納袋８を形成するように溶着されている。【選択図】図１
0003187996.tif 000002
【実用新案登録請求の範囲】
【請求項１】
ネームプレート（７）を収納する収納袋（８）を構成する表シート（３）と裏シート（４）と備え、収納袋（８）に安全ピン取付用のループシート（５）が上方突出するように連結された名札であって、
前記表シート（３）と裏シート（４）とがループシート（５）を介して連結されるように、表シート（３）と裏シート（４）とループシート（５）とが一枚の合成樹脂製のシート材により形成され、表シート（３）と裏シート（４）との外周部同士が収納袋（８）を形成するように溶着されていることを特徴とする名札。
【請求項２】
ループシート（５）は上下方向の中途部で折り返され、ループシート（５）の下端部が表シート（３）と裏シート（４）とにそれぞれ連結され、裏シート（４）の上部にネームプレート（７）を挿入するための挿入スリット（１２）が形成されていることを特徴とする請求項１に記載の名札。
【考案の詳細な説明】
【技術分野】
【０００１】
本考案は、表シートと裏シートと安全ピン取付用のループシートとを備える名札に関するものである。
【背景技術】
【０００２】
名札には、ネームプレートを収納する収納袋を構成する表シートと裏シートと備え、収納袋に安全ピン取付用のループシートが上方突出するように連結されたものがある（特許文献１，２）。
この種の従来の名札は、表シートを合成樹脂製のシート材により形成し、これとは別体に、裏シートと安全ピン取付用のループシートとを合成樹脂製のシート材により一体に形成しておき、表シートと裏シートとを重合してその外周部同士を高周波により溶着して収納袋を形成すると共に、ループシートを上下方向の中途部で折り返してその折り返し端部を裏シートに高周波により溶着して、ループシートをループ状に形成するのが一般的であった。
【先行技術文献】
【特許文献】
【０００３】
【特許文献１】特開２００５−２６６０４６号公報
【特許文献２】特開平１０−１２３９６０号公報
【考案の概要】
【考案が解決しようとする課題】
【０００４】
従って、従来の場合、ループシートを上下方向の中途部で折り返して裏シートの上部に重合させて、その折り返し端部と裏シートとを溶着するため、この溶着の際に、ループシートの折り返し端部が裏シートの上部に対して不安定でふらつき易くなるため、ループシートの折り返し端部と裏シートとを上手く溶着し難くなるし、ループシートの折り返し端部と裏シートとはもともと連結されていたものではないから、ループシートの一端部（折り返し端部）と収納袋（裏シート）との連結が弱いものとなり、このため短期間の使用によってループシートの一端部が裏シートから外れてしまうという問題があった。
【０００５】
本考案は上記問題点に鑑み、長期間使用してもループシートが表シート及び裏シートから外れるのを防止できる頑丈な名札を提供することを目的としている。
【課題を解決するための手段】
【０００６】
本考案における課題解決のための具体的手段は、次の通りである。
この技術的課題を解決する本考案の技術的手段は、ネームプレート７を収納する収納袋８を構成する表シート３と裏シート４と備え、収納袋８に安全ピン取付用のループシート５が上方突出するように連結された名札であって、
前記表シート３と裏シート４とがループシート５を介して連結されるように、表シート３と裏シート４とループシート５とが一枚の合成樹脂製のシート材により形成され、表シート３と裏シート４との外周部同士が収納袋８を形成するように溶着されている点にある。
【０００７】
また、本考案の他の技術的手段は、ループシート５は上下方向の中途部で折り返され、ループシート５の下端部が表シート３と裏シート４とにそれぞれ連結され、裏シート４の上部にネームプレート７を挿入するための挿入スリット１２が形成されている点にある。
【考案の効果】
【０００８】
本考案によれば、表シートと裏シートとがループシートを介して連結されるように、表シートと裏シートとループシートとが一枚の合成樹脂製のシート材により形成され、表シートと裏シートとの外周部同士が収納袋を形成するように溶着されているので、従来のようにループシートを折り返してその折り返し端部を裏シートの上部に溶着する必要がなくなるし、ループシートはもともと表シート及び裏シートにそれぞれ一体に連結されたものであるから、上下方向の中途部で折り返したループシートの下端部をそれぞれ表シート及び裏シートの上部にそれぞれ強固に連結固定しておくことができるようになり、このため
長期間使用してもループシートが表シート及び裏シートから外れるのを防止でき、簡単な構成によって頑丈な名札を提供することが可能になる。
【図面の簡単な説明】
【０００９】
【図１】本考案の一実施形態を示す名札の正面図である。
【図２】同名札の第１製造工程を示す正面図である。
【図３】同名札の第２製造工程を示す正面図である。
【図４】同名札の第３製造工程を示す正面図である。
【図５】同上記製造工程により製造した複数の名札を示す正面図である。
【考案を実施するための形態】
【００１０】
以下、本考案の実施の形態を図面に基づいて説明する。
図１〜図５は本考案の一実施形態を示している。図１において、名札１は、表シート３と裏シート４と安全ピン取付用のループシート５とを備え、表シート３と裏シート４とでネームプレート７を収納する収納袋８が構成され、表シート３と裏シート４との上端部間にループシート５が上方突出するように連結されている。ループシート５に安全ピン１０が取り付けられ、この安全ピン１０で名札１を制服等の胸に取り付けるように構成されている。
【００１１】
塩化ビニール等の一枚の合成樹脂製のシート材を高周波で溶断することにより、表シート３と裏シート４とループシート５とは一体に形成され、表シート３と裏シート４とがループシート５を介して連結された状態になっている。また、高周波で溶断することにより、裏シート４の上部にネームプレート７を挿入するための挿入スリット１２が形成されている。また、前記合成樹脂製のシート材によって、表シート３と裏シート４とループシート５とは印刷が施されていない透過性を有する（透明又は半透明な）ものに形成されている。
【００１２】
そして、表シート３と裏シート４との外周部同士が収納袋８を形成するように高周波によって溶着部１５で溶着されている。ループシート５は上下方向の中途部で折り返され、ループシート５の下端部が表シート３と裏シート４とにそれぞれ連結されている。
上記実施形態によれば、名札１を製造する場合、まず、第１製造工程で、図２に示すように、一枚の合成樹脂製のシート材を高周波で溶断することにより、複数（図例では３個の）の展開した状態の名札１を横方向に並べて一体に連続した状態の名札構成シート１７を形成する。この名札構成シート１７は、表シート３と裏シート４とループシート５とをそれぞれ幅方向に３つずつ並んで連続一体に有し、各裏シート４に挿入スリット１２が前記高周波による溶断によって同時に形成されている。
【００１３】
次に、第２製造工程では、図３に示すように、名札構成シート１７を図２に示す破線ａで２つ折りに折る。
その後、第３製造工程では、図４に示すように、表裏に対応する各表シート３と裏シート４との外周部を高周波により溶着部１５で溶着すると共に、名札構成シート１７の外周部の溶着の抜き粕１９を除去する。これにより、図５に示すように、表シート３と裏シート４とループシート５とを一体に有し、表シート３と裏シート４とで収納袋８を構成した３つの名札１が同時に形成される。
【００１４】
その後は、名前等を記載したネームプレート７を挿入スリット１２から収納袋８内に挿入すると共に、ループシート５に安全ピン１０を取り付ければよい。
従って、本実施形態では、表シート３と裏シート４とがループシート５を介して連結されるように、表シート３と裏シート４とループシート５とが一枚の合成樹脂製のシート材により形成されているので、従来のようにループシートを折り返してその折り返し端部を裏シートの上部に溶着する必要がなくなるし、ループシート５はもともと表シート３及び裏シート４にそれぞれ連続一体に連結されたものであるから、上下方向の中途部で折り返したループシート５の下端部をそれぞれ表シート３及び裏シート４の上部にそれぞれ強固に連結固定しておくことができるようになり、このため長期間使用してもループシート５が表シート３及び裏シート４から外れるのを防止でき、簡単な構成によって頑丈な名札を提供することが可能になる。
【００１５】
なお、前記実施形態では、裏シート４の上部に挿入スリット１２が設けられているが、これに代え、表シート３の上部に挿入スリット１２を設けるようにしてもよい。
また、前記実施形態では、表シート３と裏シート４とループシート５とは印刷が施されていない透過性を有する合成樹脂製のシート材により一体に形成されているが、これに代え、表シート３のネームプレート７の表示部に対応する部分や表シート３及び裏シート４の外周部の溶着面以外の部分に模様等の印刷を施して、不透明部分を設けるようにしてもよい。
【符号の説明】
【００１６】
１      名札
３      表シート
４      裏シート
５      ループシート
７      ネームプレート
８      収納袋
１２    挿入スリット
１５    溶着部
【図１】
0003187996.tif 000003
【図２】
0003187996.tif 000004
【図３】
0003187996.tif 000005
【図４】
0003187996.tif 000006
【図５】
0003187996.tif 000007